(57)【要約】【課題】誤設定を予防することができる視認性及び信頼性に優れたシンプルなパネル部を有する遠心分離機を提供すること。【解決手段】遠心分離する試料を収容するロータと、該ロータの回転速度又は遠心加速度の設定や現在の運転状態の表示を行う操作パネル部７を備え、該操作パネル部７の数値表示部７ａの１つは回転速度又は遠心加速度を切り換えて表示する第１の切換手段と、該数値表示部に表示する文字の色を異なる複数色の中から少なくとも２色以上を切り換えて表示可能な第２の切換手段とを有する遠心分離機において、前記数値表示部７ａに表示する数値が回転速度の場合と遠心加速度の場合とで該数値表示部７ａを異なる文字色で表示する。【選択図】図２
2008221103.tif 000002
【特許請求の範囲】
【請求項１】
遠心分離する試料を収容するロータと、該ロータの回転速度又は遠心加速度の設定や現在の運転状態の表示を行う操作パネル部を備え、該操作パネル部の数値表示部の１つは回転速度又は遠心加速度を切り換えて表示する第１の切換手段と、該数値表示部に表示する文字の色を異なる複数色の中から少なくとも２色以上を切り換えて表示可能な第２の切換手段とを有する遠心分離機において、
前記数値表示部に表示する数値が回転速度の場合と遠心加速度の場合とで該数値表示部を異なる文字色で表示するようにしたことを特徴とする遠心分離機。
【請求項２】
前記数値表示部に表示される数値が回転速度又は遠心加速度の何れであるかを判別する指示器を該数値表示部とは別に設けたことを特徴とする請求項１記載の遠心分離機。
【発明の詳細な説明】
【技術分野】
【０００１】
本発明は、運転条件として回転速度或いは遠心加速度を入力して試料の分離を行う遠心分離機に関するものである。
【背景技術】
【０００２】
遠心分離機は、分離すべき試料を収容した容器を高速回転させることによって発生する遠心力を利用して使用者が望む成分を抽出する装置であるため、運転条件として遠心加速度（以下、「ＲＣＦ」と称する）の設定は重要である。
【０００３】
ここで、ＲＣＦ（×ｇ）は、回転半径ｒ（ｍｍ）と回転速度Ｎ（ｒｐｍ）から、
ＲＣＦ＝１．１１８×１０-6×ｒ×Ｎ2       …  （１）
によって計算される。
【０００４】
従って、遠心分離機を用いて試料の分離を行う際の運転条件の設定は、ＲＣＦの値を直接入力して遠心分離機を運転することが操作上使い勝手が良いが、遠心分離機の制御装置はモータ制御が主であるために、入力されたＲＣＦの値からモータの回転速度を事前に算出する必要がある。例えば、回転半径ｒが異なる複数のロータを交換可能な遠心分離機では、回転半径ｒを事前に識別するロータ識別手段が必要となり、制御装置が複雑で高価なものとなっている。
【０００５】
又、ロータ識別手段を実装していない遠心分離機では、ＲＣＦを直接入力して運転できるのは使用頻度の高いロータのみで、これは、予めプログラムにより回転半径を固定値として計算しているためであり、この場合は取扱説明書に明記される。もし、使用頻度の高いロータと異なる回転半径を有するロータを運転する場合には、運転するロータの回転半径ｒから下式（２）によって回転速度Ｎに換算し、使用者が望むＲＣＦ値となるような回転速度Ｎを設定値として入力する必要がある。
【０００６】
Ｎ＝√（ＲＣＦ／（１．１１８×１０-6×ｒ））  …  （２）
このように回転速度とＲＣＦの２通りの運転条件を入力して運転するためには、それぞれ別々の表示部を備えることが望ましいが、操作パネルを安価でシンプルにするため、１つの表示部に回転速度或いはＲＣＦ値を切り換えて表示できるようにすると同時に、現在の表示値が回転速度なのかＲＣＦ値なのかを判別することができる指示器を備えた遠心分離機がある。
【特許文献１】特開２００２−３０６９９０号公報
【発明の開示】
【発明が解決しようとする課題】
【０００７】
上述した１つの数値表示部に回転速度或いはＲＣＦ値を切り換えて表示すると同時に、現在の表示値が回転速度なのかＲＣＦ値なのかを判別することができる指示器を備えた遠心分離機においては、使用者が遠心分離機の運転に慣れてくると、入力する数値のみに注意が集中し、指示器の表示を見逃してしまい、例えば、回転速度入力状態であるのにＲＣＦ値を入力したり、ＲＣＦ入力状態であるのに回転速度を入力するといった誤設定をしてしまう可能性がある。
【０００８】
本発明は上記問題に鑑みてなされたもので、その目的とする処は、誤設定を予防することができる視認性及び信頼性に優れたシンプルなパネル部を有する遠心分離機を提供することにある。
【課題を解決するための手段】
【０００９】
上記目的を達成するため、請求項１記載の発明は、遠心分離する試料を収容するロータと、該ロータの回転速度又は遠心加速度の設定や現在の運転状態の表示を行う操作パネル部を備え、該操作パネル部の数値表示部の１つは回転速度又は遠心加速度を切り換えて表示する第１の切換手段と、該数値表示部に表示する文字の色を異なる複数色の中から少なくとも２色以上を切り換えて表示可能な第２の切換手段とを有する遠心分離機において、前記数値表示部に表示する数値が回転速度の場合と遠心加速度の場合とで該数値表示部を異なる文字色で表示するようにしたことを特徴とする。
【００１０】
請求項２記載の発明は、請求項１記載の発明において、前記数値表示部に表示される数値が回転速度又は遠心加速度の何れであるかを判別する指示器を該数値表示部とは別に設けたことを特徴とする。
【発明の効果】
【００１１】
本発明によれば、回転速度又は遠心加速度を１つの表示部で切り換えて表示する操作パネル部を有した遠心分離機において、回転速度を表示する場合と遠心加速度を表示する場合に表示部の文字色を変更することによって使用者がどちらの入力状態かを明瞭に認識することができるため、誤設定を防ぐことができ、操作性及び視認性に優れたシンプルなパネル部を有する遠心分離機を提供することができる。
【発明を実施するための最良の形態】
【００１２】
以下に本発明の実施の形態を添付図面に基づいて説明する。
【００１３】
図１は本発明に係る遠心分離機の概略構成図、図２は同遠心分離機の操作パネル部の外観図である。
【００１４】
図１に示す遠心分離機１は、試料容器であるチューブ４を収容可能なロータ３と、該ロータ３を所定の速度で回転駆動する駆動源としてのモータ５と、ロータ３を収容する回転室２と、該回転室２の開口上部を閉塞或いは開放するためのドア８と、該ドア８に設けられたドアフックに係合可能な不図示のドアロック装置と、前記モータ５等を収容する筐体上面部に設けられた操作パネル部７と、該操作パネル部７及びモータ５を制御するための制御装置６とを備えている。
【００１５】
上記構成を有する遠心分離機１において、ロータ３の回転中は、ドア８に設けられたドアフックにドアロック装置が係合し、ドア８を開けられないようにドアロック制御がなされている。又、ロータ３の回転停止中は、ドア８に設けられたドアフックからドアロック装置が離脱し、ドア８を開いて回転室２内からロータ３を取り出すことができるよう制御されている。
【００１６】
次に、前記操作パネル部７の構成を図２に基づいて説明する。
【００１７】
操作パネル部７は、運転状態又は設定値を表示する数値表示部７ａと、該数値表示部７ａに表示中の数値がＲＣＦ（遠心加速度）の場合に点灯する遠心加速度表示指示器７ｂと、運転条件を入力する設定スイッチ７ｃ，７ｄと、運転を開始するＳＴＡＲＴスイッチ７ｅと、運転を中止するＳＴＯＰスイッチ７ｆと、数値表示部７ａの表示値を回転速度又はＲＣＦ値に切り換えるＳＰＥＥＤ／ＲＣＦ切換スイッチ７ｇを有している。ここで、数値表示部７ａは、表示する文字が異なる２色以上を切り換え可能な構成とする。例えば、カラー液晶や２色発光ダイオード等を用いて構成する。
【００１８】
而して、例えば回転速度を設定して運転したい場合には、数値表示部７ａに表示される数値の文字色が赤色だったとすると、前記ＳＰＥＥＤ／ＲＣＦ切換スイッチ７ｇを押した場合には、数値表示部７ａに表示される数値が回転速度からＲＣＦ値に切り換わると同時に、文字色も赤色以外、例えば緑色へと変化するように構成する。
【００１９】
尚、数値表示部７ａの文字の表示方法は、異なる２色によって認識する場合以外であっても良く、例えば、回転速度表示の場合は背景色が白色、文字色が黒色の組み合わせであるのに対し、ＲＣＦ表示の場合は背景色が黒色、文字色が白色の組み合わせといったように背景色と文字色を入れ替えるだけでも良い。又、文字色を変更するのは設定値の変更中に限定してもしなくても同じ効果が期待できる。
【００２０】
以上のように、本実施の形態によれば、数値表示部７ａに回転速度或いはＲＣＦ（遠心加速度）のどちらの数値を表示しているかが一目瞭然となり、視認性に優れた操作パネル部７を遠心分離機１に設けることによって誤設定を防ぐことができ、作業効率の向上を図ることができる。
【図面の簡単な説明】
【００２１】
【図１】本発明に係る遠心分離機の概略構成図である。
【図２】本発明に係る遠心分離機の装置パネル部の外観図である。
【符号の説明】
【００２２】
１          遠心分離機
２          回転室
３          ロータ
４          チューブ
５          モータ
６          制御装置
７          操作パネル部
７ａ        数値表示部
７ｂ        遠心加速度表示指示器
７ｃ，７ｄ  設定スイッチ
７ｅ        ＲＴＡＲＴスイッチ
７ｆ        ＳＴＯＰスイッチ
７ｇ        ＳＰＥＥＤ／ＲＣＦ切換スイッチ
８          ドア
【図１】
2008221103.tif 000003
【図２】
2008221103.tif 000004